(57)【要約】【課題】  異なるネットワークドメインに属するＡＰ間でハンドオフが行われる場合にも、ハンドオフ時間の短縮を図ることが可能な移動端末、及び、この移動端末に適用されるプログラムを提供する。【解決手段】  第１ネットワークドメイン内に配置されるＡＰ１０ａ及びＡＰ１０ｂと、第２ネットワークドメイン内に配置されるＡＰ１０ｃ及びＡＰ１０ｄとを有する無線ＬＡＮシステムで用いられ、第２ネットワークドメインでは、第１ネットワークドメインとは異なる割当アドレスが割当てられる移動端末４０が、ＡＰ１０ｂに接続している間に、ＡＰ１０ｃのＡＰ情報を取得する受信部４１を備え、ＡＰ１０ｃのＡＰ情報は、少なくともＡＰ１０ｃのＭＡＣアドレスを含む。【選択図】  図４
2006262371.tif 000002
【特許請求の範囲】
【請求項１】
第１ネットワークドメイン内に配置される第１アクセスポイントと、第２ネットワークドメイン内に配置される第２アクセスポイントとを有する無線ＬＡＮシステムで用いられ、前記第２ネットワークドメインでは、前記第１ネットワークドメインとは異なる割当アドレスが割当てられる移動端末であって、
前記第１アクセスポイントに接続している間に、前記第１ネットワークドメインに隣接する前記第２アクセスポイントである第２境界アクセスポイントに関する情報を取得する取得部を備え、
前記第２境界アクセスポイントに関する情報は、少なくとも前記第２境界アクセスポイントに固有の固有アドレス及び前記第２境界アクセスポイントが管理するエリア内で用いられる周波数を特定する情報を含むことを特徴とする移動端末。
【請求項２】
前記取得部は、前記第２ネットワークドメインに隣接する前記第１アクセスポイントである第１境界アクセスポイントに接続している間に、前記第２境界アクセスポイントに関する情報を取得することを特徴とする請求項１に記載の移動端末。
【請求項３】
前記第２境界アクセスポイントに関する情報は、前記第２ネットワークドメインを識別するネットワークプレフィクスをさらに含むことを特徴とする請求項１又は請求項２に記載の移動端末。
【請求項４】
前記第２境界アクセスポイントに関する情報は、前記第２境界アクセスポイントが属するグループを特定する情報、又は、前記第２境界アクセスポイントが管理するエリア内で用いられる暗号鍵を特定する情報をさらに含むことを特徴とする請求項１乃至請求項３のいずれかに記載の移動端末。
【請求項５】
前記取得部は、前記無線ＬＡＮシステムとは異なる無線通信システムと接続している間に、前記無線ＬＡＮシステムに含まれるアクセスポイントに関する情報を取得し、
前記アクセスポイントに関する情報は、少なくとも前記アクセスポイントに固有の固有アドレス及び前記アクセスポイントが管理するエリア内で用いられる周波数を特定する情報を含むことを特徴とする請求項１乃至請求項４のいずれかに記載の移動端末。
【請求項６】
第１ネットワークドメイン内に配置される第１アクセスポイントと、第２ネットワークドメイン内に配置される第２アクセスポイントとを有する無線ＬＡＮシステムで用いられ、前記第２ネットワークドメインでは、前記第１ネットワークドメインとは異なる割当アドレスが割当てられる移動端末に適用されるプログラムであって、コンピュータに、
前記第１アクセスポイントに接続している間に、前記第１ネットワークドメインに隣接する前記第２アクセスポイントである第２境界アクセスポイントに関する情報を取得する手順を実行させ、
前記第２境界アクセスポイントに関する情報は、少なくとも前記第２境界アクセスポイントに固有の固有アドレスを含むことを特徴とするプログラム。
【発明の詳細な説明】
【技術分野】
【０００１】
本発明は、アドレスを再割当てする必要がある複数のネットワークドメイン間を移動する移動端末、及び、この移動端末に適用されるプログラムに関する。
【背景技術】
【０００２】
従来、無線ＬＡＮでは、移動端末の移動に伴って、移動端末が接続されているアクセスポイント（接続ＡＰ）を、接続ＡＰに隣接するアクセスポイント（隣接ＡＰ）に変更するハンドオフが行われる。
【０００３】
このとき、移動端末は、隣接ＡＰのＥＳＳＩＤ（Extended  Service  Set  Identifier）等を取得するために、隣接ＡＰによって送信されるビーコン信号を、全ての周波数チャネルを巡回して監視する（パッシブスキャン又はアクティブスキャン）。
【０００４】
ここで、ハンドオフが行われている際には、通信が一時的に切断されるため、特に、音声通信のようにリアルタイム性が要求される場合には、ハンドオフで必要とされる時間（ハンドオフ時間）が短い方が好ましい。
【０００５】
これに対して、移動端末が接続可能なＡＰについてＥＳＳＩＤのリストを予め移動端末に登録しておき、ＥＳＳＩＤのリストを参照してハンドオフを行うことによって、ハンドオフ時間を短縮する方法（以下、第１方法）が提案されている（例えば、特許文献１）。
【０００６】
また、同一のネットワークドメイン内に属するＡＰのＥＳＳＩＤ等をＳＮＭＰ（Simple  Network  Management  Protocol）等に従ってサーバが収集し、ハンドオフが行われる前に隣接ＡＰのＥＳＳＩＤをサーバが移動端末に送信することによって、ハンドオフ時間を短縮する方法（以下、第２方法）も考えられる。
【特許文献１】特開２００４−３４３４５８号公報（請求項１、〔００４９〕段落）
【発明の開示】
【発明が解決しようとする課題】
【０００７】
しかしながら、上述した第１方法では、ユーザや管理者がＥＳＳＩＤのリストを予め移動端末に登録しなければならないため、この第１方法は利便性に欠ける。また、隣接ＡＰが管理するエリア内で用いられる周波数チャネルが不明であるため、複数ある周波数チャネルを巡回する必要がある。
【０００８】
一方、上述した第２方法では、サーバは、同一のネットワークドメイン内に属するＡＰのＥＳＳＩＤ等を収集するが、一般的に、ネットワークドメインは通信事業者毎に管理されるため、異なるネットワークドメイン内に属するＡＰのＥＳＳＩＤを収集できない。
【０００９】
従って、上述した方法では、異なるネットワークドメインに属するＡＰ間でハンドオフが行われる場合には、ハンドオフが行われる前に隣接ＡＰのＥＳＳＩＤ等を取得することができないため、ハンドオフ時間の短縮を図ることができなかった。
【００１０】
そこで、本発明は、上述した課題を解決するためになされたものであり、異なるネットワークドメインに属するＡＰ間でハンドオフが行われる場合にも、ハンドオフ時間の短縮を図ることが可能な移動端末、及び、この移動端末に適用されるプログラムを提供することを目的とする。
【課題を解決するための手段】
【００１１】
本発明の第１の特徴は、第１ネットワークドメイン内に配置される第１アクセスポイント（ＡＰ１０ａ、ＡＰ１０ｂ）と、第２ネットワークドメイン内に配置される第２アクセスポイント（ＡＰ１０ｃ、ＡＰ１０ｄ）とを有する無線ＬＡＮシステムで用いられ、前記第２ネットワークドメインでは、前記第１ネットワークドメインとは異なる割当アドレス（ＩＰアドレス）が割当てられる移動端末（移動端末４０）が、第１アクセスポイントに接続している間に、第１ネットワークドメインに隣接する第２アクセスポイントである第２境界アクセスポイント（ＡＰ１０ｃ）に関する情報を取得する取得部（受信部４１）を備え、第２境界アクセスポイントに関する情報は、少なくとも第２境界アクセスポイントに固有の固有アドレス（ＭＡＣアドレス）及び第２境界基地局が管理するエリア内で用いられる周波数を特定する情報（周波数チャネル）を含むことを要旨とする。
【００１２】
かかる特徴によれば、取得部が、第１アクセスポイントに接続している間に、第２境界アクセスポイントに関する情報を取得することにより、移動端末は、異なるネットワークドメインに属するＡＰ間でハンドオフが行われる場合にも、ハンドオフ時間の短縮を図ることができる。
【００１３】
本発明の第１の特徴において、取得部は、第２ネットワークドメインに隣接する第１アクセスポイントである第１境界アクセスポイント（ＡＰ１０ｂ）に接続している間に、第２境界アクセスポイントに関する情報を取得することが好ましい。
【００１４】
本発明の第１の特徴において、第２境界アクセスポイントに関する情報は、第２ネットワークドメインを識別するネットワークプレフィクス（ネットワークアドレス、アドレスプレフィクス）をさらに含むことが好ましい。
【００１５】
本発明の第１の特徴において、第２境界アクセスポイントに関する情報は、第２境界アクセスポイントが属するグループを特定する情報（ＥＳＳＩＤ）、又は、第２境界アクセスポイントが管理するエリア内で用いられる暗号鍵（ＷＥＰキー）を特定する情報をさらに含むことが好ましい。
【００１６】
本発明の第１の特徴において、取得部は、無線ＬＡＮシステムとは異なる無線通信システム（携帯電話網）と接続している間に、無線ＬＡＮシステムに含まれるアクセスポイントに関する情報を取得し、アクセスポイントに関する情報は、少なくともアクセスポイントに固有の固有アドレス（ＭＡＣアドレス）及びアクセスポイントが管理するエリア内で用いられる周波数を特定する情報（周波数チャネル）を含むことを要旨とする。
【００１７】
本発明の第２の特徴は、第１ネットワークドメイン内に配置される第１アクセスポイントと、第２ネットワークドメイン内に配置される第２アクセスポイントとを有する無線ＬＡＮシステムで用いられ、前記第２ネットワークドメインでは、前記第１ネットワークドメインとは異なる割当アドレスが割当てられる移動端末に適用されるプログラムが、第１アクセスポイントに接続している間に、第１ネットワークドメインに隣接する第２アクセスポイントである第２境界アクセスポイントに関する情報を取得する手順をコンピュータに実行させ、第２境界アクセスポイントに関する情報は、少なくとも第２境界アクセスポイントに固有の固有アドレスを含むことを要旨とする。
【発明の効果】
【００１８】
本発明によれば、異なるネットワークドメインに属するＡＰ間でハンドオフが行われる場合にも、ハンドオフ時間の短縮を図ることが可能な移動端末、及び、この移動端末に適用されるプログラムを提供することができる。
【発明を実施するための最良の形態】
【００１９】
（本発明の一実施形態に係る無線ＬＡＮシステムの構成）
以下において、本発明の一実施形態に係る無線ＬＡＮシステムの構成について、図面を参照しながら説明する。図１は、本発明の一実施形態に係る無線ＬＡＮシステムの構成を示す図である。なお、以下では、アクセスポイントをＡＰ（Access  Point）と記載する。
【００２０】
図１に示すように、無線ＬＡＮシステムは、複数のエリア（エリアａ〜エリアｄ）をそれぞれ管理する複数のＡＰ（ＡＰ１０ａ〜ＡＰ１０ｄ）と、ＡＰに関する情報（以下、ＡＰ情報）をネットワークドメイン毎に管理する複数のＡＰ情報サーバ（ＡＰ情報サーバ２０ａ及びＡＰ情報サーバ２０ｂ）とを有する。また、ＡＰ情報サーバ２０ａ及びＡＰ情報サーバ２０ｂは、通信回線網３０を介して接続される。
【００２１】
ＡＰは、そのＡＰが管理するエリア内に位置する移動端末４０と通信を行う。例えば、ＡＰ１０ｂは、エリアｂ内に位置する移動端末４０と通信を行い、ＡＰ１０ｃは、エリアｃ内に位置する移動端末４０と通信を行う。
【００２２】
また、各ＡＰは、複数のネットワークドメイン（第１ネットワークドメイン及び第２ネットワークドメイン）にそれぞれ属する。本実施形態では、ＡＰ１０ａ及びＡＰ１０ｂは、第１ネットワークドメインに属し、ＡＰ１０ｃ及びＡＰ１０ｄは、第２ネットワークドメインに属する。
【００２３】
ここで、ネットワークドメインとは、ネットワークプレフィクスによって識別される領域であり、移動端末４０には、ネットワークドメイン毎にＩＰアドレスが再割当てされる。
【００２４】
なお、以下において、第１ネットワークドメインと第２ネットワークドメインとの境界に位置するＡＰを境界ＡＰと称する。具体的には、境界ＡＰとは、第１ネットワークドメインに属し、かつ、第２ネットワークドメインに隣接するＡＰ、又は、第２ネットワークドメインに属し、かつ、第１ネットワークドメインに隣接するＡＰである。すなわち、本実施形態では、ＡＰ１０ｂ及びＡＰ１０ｃが境界ＡＰである。
【００２５】
ＡＰ情報サーバは、ネットワークドメイン毎に配置される。また、ＡＰ情報サーバは、配置されたネットワークドメインに属するＡＰのＡＰ情報を収集する。例えば、ＡＰ情報サーバ２０ａは、第１ネットワークドメイン内に配置され、第１ネットワークドメインに属するＡＰ（ＡＰ１０ａ及びＡＰ１０ｂ）のＡＰ情報を収集する。一方、ＡＰ情報サーバ２０ｂは、第２ネットワークドメイン内に配置され、第２ネットワークドメインに属するＡＰ（ＡＰ１０ｃ及びＡＰ１０ｄ）のＡＰ情報を収集する。
【００２６】
なお、ＡＰ情報とは、ＡＰに固有のアドレス（ＭＡＣアドレス）及びＡＰが管理するエリア内で用いられる周波数を特定する情報（周波数チャネル）を少なくとも含む情報である。ＡＰ情報の詳細については後述する（図３を参照）。
【００２７】
移動端末４０は、各ＡＰと接続する機能を有するノートＰＣ、ＰＤＡ、携帯電話等である。また、移動端末４０は、ユーザに持ち運ばれることによって、複数のエリア間を移動し、移動先のエリアを管理するＡＰと接続する。
【００２８】
なお、移動端末４０及び各ＡＰは、ＩＥＥＥ８０２．１１等の規格に準拠した無線ＬＡＮを構成する。
【００２９】
（本発明の一実施形態に係るＡＰ情報サーバの構成）
以下において、上述したＡＰ情報サーバについて、図面を参照しながら説明する。図２は、本発明の一実施形態に係るＡＰ情報サーバを示すブロック図である。なお、ＡＰ情報サーバ２０ａ及びＡＰ情報サーバ２０ｂは同様の構成を有するため、図２ではＡＰ情報サーバ２０ａを例に説明する。
【００３０】
図２に示すように、ＡＰ情報サーバ２０ａは、受信部２１と、ＡＰ情報ＤＢ２２と、隣接ＡＰ特定部２３と、送信部２４とを有する。
【００３１】
受信部２１は、第１ネットワークドメインに属する各ＡＰ（ＡＰ１０ａ及びＡＰ１０ｂ）から、各ＡＰのＡＰ情報を受信する。また、受信部２１は、第２ネットワークドメインのＡＰ情報サーバ２０ｂから、通信回線網３０を介して境界ＡＰ（ＡＰ１０ｃ）のＡＰ情報を受信する。
【００３２】
さらに、受信部２１は、第１ネットワークドメインに属する各ＡＰ（ＡＰ１０ａ及びＡＰ１０ｂ）を介して、移動端末４０から隣接ＡＰ情報要求を受信する。ここで、隣接ＡＰ情報要求とは、移動端末４０が接続するＡＰ（接続ＡＰ）のＡＰＩＤを含み、接続ＡＰに隣接するＡＰ（隣接ＡＰ）のＡＰ情報を要求するものである。
【００３３】
ＡＰ情報ＤＢ２２は、受信部２１によって受信されるＡＰ情報を記憶する。すなわち、ＡＰ情報ＤＢ２２は、第１ネットワークドメインに属する各ＡＰのＡＰ情報、第２ネットワークドメインに属する境界ＡＰのＡＰ情報を記憶する（図３を参照）。
【００３４】
図３は、本発明の一実施形態に係るＡＰ情報ＤＢ２２に記憶されるＡＰ情報を示す図である。図３に示すように、ＡＰ情報ＤＢ２２は、ドメイン名と、ＡＰＩＤと、ＭＡＣアドレスと、周波数チャネルと、ネットワークプレフィクスと、ＥＳＳＩＤ（Extended Service Set Identifier）と、ＷＥＰ（Wired Equivalent Privacy）キーと、境界ＡＰフラグと、隣接ＡＰＩＤとを対応付けて記憶する。
【００３５】
ドメイン名は、各ＡＰが属するドメインの名称であり、ＡＰＩＤは、各ＡＰを識別する識別子である。
【００３６】
ＭＡＣアドレスは、各ＡＰに固有のアドレスであり、周波数チャネルは、各ＡＰが管理するエリア内で用いられる周波数を特定する情報である。
【００３７】
ネットワークプレフィクスは、各ネットワークドメインを識別する情報であり、ＩＰアドレスの上位ビットによって構成される。具体的には、ネットワークプレフィクスは、ＩＰｖ４ではネットワークアドレス（ホストアドレス以外の部分）に相当し、ＩＰｖ６ではアドレスプレフィクス（インターフェイスアドレス以外の部分）に相当する。
【００３８】
ＥＳＳＩＤは、各ＡＰと移動端末４０とが構成するグループを識別する識別子であり、ＷＥＰキーは、各ＡＰが管理するエリア内で用いられる暗号鍵である。
【００３９】
境界ＡＰフラグは、各ＡＰが境界ＡＰであるか否かを示すフラグである。具体的には、ＡＰが境界ＡＰである場合には、境界ＡＰフラグに“１”がセットされ、ＡＰが境界ＡＰでない場合には、境界ＡＰフラグに“０”がセットされる。隣接ＡＰＩＤは、各ＡＰに隣接するＡＰのＡＰＩＤである。
【００４０】
なお、境界ＡＰフラグ及び隣接ＡＰＩＤは、無線ＬＡＮシステムの設計者等によって予め設定されてもよく、ＧＰＳ等を用いて取得されるＡＰの位置情報に基づいて設定されてもよい。
【００４１】
隣接ＡＰ特定部２３は、移動端末４０から受信する隣接ＡＰ情報要求に基づいて、どのＡＰが隣接ＡＰであるかを特定する。具体的には、隣接ＡＰ特定部２３は、隣接ＡＰ情報要求に含まれる接続ＡＰのＡＰＩＤを検索キーとしてＡＰ情報ＤＢ２２のＡＰＩＤ欄を検索することによって、接続ＡＰのＡＰＩＤに対応付けられた隣接ＡＰＩＤを特定する。
【００４２】
また、隣接ＡＰ特定部２３は、特定した隣接ＡＰＩＤを検索キーとしてＡＰ情報ＤＢ２２のＡＰＩＤ欄を検索することによって、隣接ＡＰのＡＰ情報（ＭＡＣアドレス、周波数チャネル、ネットワークプレフィクス、ＥＳＳＩＤ、ＷＥＰキー、境界ＡＰフラグ）を特定する。
【００４３】
例えば、隣接ＡＰ特定部２３は、隣接ＡＰ情報要求に含まれる接続ＡＰのＡＰＩＤが「１０７」である場合には、「１０７」に対応付けられた隣接ＡＰＩＤ（「１０６」及び「２０１」）を特定する。また、隣接ＡＰ特定部２３は、特定した隣接ＡＰＩＤ「１０６」に対応付けられたＡＰ情報（ＭＡＣアドレス：「００−１１−１４−×−△」、周波数チャネル：「１４」、ネットワークプレフィクス：「１９２．１６８．２０．０」、ＥＳＳＩＤ：「１００１」、ＷＥＰキー：「ｆｆｆ」、境界ＡＰフラグ：「０」）を特定する。同様に、隣接ＡＰ特定部２３は、特定した隣接ＡＰＩＤ「２０１」に対応付けられたＡＰ情報（ＭＡＣアドレス：「０２−１４−３Ｃ−×−△」、周波数チャネル：「３」、ネットワークプレフィクス：「１９２．１６８．３０．０」、ＥＳＳＩＤ：「１００２」、ＷＥＰキー：「ｈｈｈ」、境界ＡＰフラグ：「１」）を特定する。
【００４４】
送信部２４は、第１ネットワークドメインに属する各ＡＰ（ＡＰ１０ａ及びＡＰ１０ｂ）のＡＰ情報を要求するためのＡＰ情報要求を周期的に送信する。また、送信部２４は、第２ネットワークドメインのＡＰ情報サーバ２０ｂに、境界ＡＰ情報を要求するための境界ＡＰ情報要求を周期的に送信する。なお、境界ＡＰ情報要求を送信する周期は、ＡＰ情報要求を送信する周期よりも長くてもよい。
【００４５】
さらに、送信部２４は、第１ネットワークドメインに属する各ＡＰ（ＡＰ１０ａ及びＡＰ１０ｂ）を介して、隣接ＡＰ特定部２３によって特定された隣接ＡＰのＡＰ情報を移動端末４０に送信する。
【００４６】
このように、ＡＰ情報サーバ２０ａは、例えば、ＳＮＭＰ（Simple  Network  Management  Protocol）等に従って、第１ネットワークドメインに属する各ＡＰのＡＰ情報を取得する。
【００４７】
なお、各ＡＰ情報サーバは、ＡＰ情報サーバに記憶されたＡＰ情報に変化が生じた際に、互いにＡＰ情報を報告しあってもよい。
【００４８】
（本発明の一実施形態に係る移動端末の構成）
以下において、上述した移動端末４０について、図面を参照しながら説明する。図４は、本発明の一実施形態に係る移動端末４０を示すブロック図である。
【００４９】
移動端末４０は、受信部４１と、ＡＰ情報記憶部４２と、受信品質測定部４３と、接続処理部４４と、送信部４５とを有する。
【００５０】
受信部４１は、移動端末４０が接続するＡＰから制御信号やデータ信号を受信する。また、受信部４１は、移動端末４０が接続するＡＰを介して、ＡＰ情報サーバから隣接ＡＰのＡＰ情報を受信する。
【００５１】
ＡＰ情報記憶部４２は、接続ＡＰのＡＰ情報に加えて、受信部４１によって受信される隣接ＡＰのＡＰ情報を記憶する（図５を参照）。
【００５２】
図５は、本発明の一実施形態に係るＡＰ情報記憶部４２に記憶されたＡＰ情報を示す図である。図５に示すように、ＡＰ情報記憶部４２は、ＡＰ種別と、ドメイン名と、ＡＰＩＤと、ＭＡＣアドレスと、周波数チャネルと、ネットワークプレフィクスと、ＥＳＳＩＤと、ＷＥＰキーと、境界ＡＰフラグと、隣接ＡＰＩＤとを対応付けて記憶する。
【００５３】
なお、ＡＰ種別とは、ＡＰ情報が接続ＡＰに対応するものであるか、ＡＰ情報が隣接ＡＰに対応するものであるかを識別する情報である。
【００５４】
受信品質測定部４３は、移動端末４０が接続するＡＰから受信する信号の受信品質を測定する。具体的には、受信品質測定部４３は、ＡＰから定期的に受信するビーコン信号の受信強度を測定する。また、受信品質測定部４３は、移動端末４０がＡＰと通信を行っている場合には、正確に受信できなかったパケット数（欠落パケット数）を測定する。
【００５５】
さらに、受信品質測定部４３は、ビーコン信号の受信強度が所定の閾値よりも小さくなった場合や欠落パケット数が所定の閾値よりも大きくなった場合には、接続ＡＰを隣接ＡＰに変更する必要があること（ハンドオフの必要があること）を接続処理部４４に通知する。
【００５６】
接続処理部４４は、移動端末４０と接続ＡＰとの間における接続を制御する。具体的には、接続処理部４４は、移動端末４０が通信を開始する場合には、受信品質測定部４３によって測定されるビーコン信号の受信強度が最も大きいＡＰを接続ＡＰとして選択する。また、接続処理部４４は、ハンドオフの必要があることが通知された場合には、ＡＰ情報記憶部４２に記憶された隣接ＡＰのＡＰ情報を参照して、ハンドオフ先となるＡＰ（ハンドオフ先ＡＰ）を決定する。
【００５７】
送信部４５は、移動端末４０が通信を開始する場合には、接続処理部４４によって決定された接続ＡＰにアソシエーション要求を送信する。また、送信部４５は、接続処理部４４によって決定されたハンドオフ先ＡＰにリアソシエーション要求を送信する。さらに、送信部４５は、ハンドオフ先ＡＰから受信するアソシエーション応答又はリアソシエーション応答に応じて、隣接ＡＰ情報要求をＡＰ情報サーバに送信する。
【００５８】
（本発明の一実施形態に係る無線ＬＡＮシステムの動作）
以下において、本発明の一実施形態に係る無線ＬＡＮシステムの動作について、図面を参照しながら説明する。図６は、本発明の一実施形態に係る無線ＬＡＮシステムの動作を示すシーケンス図である。なお、図６は、移動端末４０がエリアａからエリアｂに移動して、ＡＰ１０ａからＡＰ１０ｂにハンドオフするとともに、移動端末４０がエリアｂからエリアｃに移動して、ＡＰ１０ｂからＡＰ１０ｃにハンドオフする際における処理である。
【００５９】
図６に示すように、ステップ１０において、ＡＰ情報サーバ２０ａは、第１ネットワークドメインに属する各ＡＰ（ＡＰ１０ａ及びＡＰ１０ｂ）のＡＰ情報を周期的に取得する。具体的には、ＡＰ情報サーバ２０ａは、ＳＮＭＰ等に従って、ＡＰ情報を取得する。
【００６０】
ステップ１１において、ＡＰ情報サーバ２０ｂは、第２ネットワークドメインに属する各ＡＰ（ＡＰ１０ｃ及びＡＰ１０ｄ）のＡＰ情報を周期的に取得する。具体的には、ＡＰ情報サーバ２０ｂは、ＡＰ情報サーバ２０ａと同様に、ＳＮＭＰ等のプロトコルに従って、ＡＰ情報を取得する。
【００６１】
ステップ１２において、ＡＰ情報サーバ２０ａは、第２ネットワークドメインの境界ＡＰ（ＡＰ１０ｃ）のＡＰ情報をＡＰ情報サーバ２０ｂから周期的に取得する。同様に、ＡＰ情報サーバ２０ｂは、第１ネットワークドメインの境界ＡＰ（ＡＰ１０ｂ）のＡＰ情報をＡＰ情報サーバ２０ａから周期的に取得する。
【００６２】
ステップ１３において、移動端末４０は、ＡＰ１０ａから受信する信号の受信品質の劣化を検出する。具体的には、移動端末４０は、ＡＰ１０ａとの通信において、ビーコン信号の受信強度が所定の閾値よりも小さくなったこと、又は、欠落パケット数が所定の閾値よりも大きくなったことを検出する。
【００６３】
ステップ１４において、移動端末４０は、ＡＰ１０ｂに接続することを要求するためのリアソシエーション要求をＡＰ１０ｂに送信する。
【００６４】
ステップ１５において、ＡＰ１０ｂは、移動端末４０の接続を許可するか否かを示すリアソシエーション応答を移動端末４０に送信する。なお、本実施形態において、ＡＰ１０ｂは、移動端末４０の接続を許可することを示すリアソシエーション応答を移動端末４０に送信するものとする。
【００６５】
ステップ１６において、移動端末４０は、ＡＰ１０ｂのＡＰＩＤを含む隣接ＡＰ情報要求をＡＰ情報サーバ２０ａに送信する。
【００６６】
ステップ１７において、ＡＰ情報サーバ２０ａは、隣接ＡＰ情報要求に含まれるＡＰ１０ｂのＡＰＩＤを検索キーとしてＡＰ情報ＤＢ２２のＡＰＩＤ欄を検索することによって、ＡＰ１０ｂに隣接する隣接ＡＰ（ＡＰ１０ａ及びＡＰ１０ｃ）を特定する。また、ＡＰ情報サーバ２０ａは、特定した隣接ＡＰ（ＡＰ１０ａ及びＡＰ１０ｃ）のＡＰＩＤを検索キーとしてＡＰ情報ＤＢ２２のＡＰＩＤ欄を検索することによって、隣接ＡＰ（ＡＰ１０ａ及びＡＰ１０ｃ）のＡＰ情報を特定する。
【００６７】
ステップ１８において、ＡＰ情報サーバ２０ａは、特定した隣接ＡＰ（ＡＰ１０ａ及びＡＰ１０ｃ）のＡＰ情報を、ＡＰ１０ｂを介して移動端末４０に送信する。
【００６８】
ステップ１９において、移動端末４０は、ＡＰ１０ｂから受信する信号の受信品質の劣化を検出する。具体的には、移動端末４０は、ＡＰ１０ｂとの通信において、ビーコン信号の受信強度が所定の閾値よりも小さくなったこと、又は、欠落パケット数が所定の閾値よりも大きくなったことを検出する。
【００６９】
ステップ２０において、移動端末４０は、ＡＰ１０ｃに接続することを要求するためのリアソシエーション要求をＡＰ１０ｃに送信する。このとき、移動端末４０は、ステップ１８で受信したＡＰ１０ｃのＡＰ情報（ＭＡＣアドレス、周波数チャネル、ネットワークプレフィクス、ＥＳＳＩＤ、ＷＥＰキー、境界ＡＰフラグ）を参照することによって、ハンドオフに必要な時間の短縮を図ることが可能である。
【００７０】
ステップ２１において、ＡＰ１０ｃは、移動端末４０の接続を許可するか否かを示すリアソシエーション応答を移動端末４０に送信する。
【００７１】
なお、ステップ２１以降の処理については、ステップ１６〜ステップ１８の処理と同様であるため、その説明を省略する。
【００７２】
（本発明の一実施形態に係る無線ＬＡＮシステムの作用及び効果）
本発明の一実施形態に係る無線ＬＡＮシステムによれば、ＡＰ情報サーバ２０ａが第２ネットワークドメインに属する境界ＡＰ（ＡＰ１０ｃ）のＡＰ情報を記憶し、移動端末４０が、第１ネットワークドメインに属するＡＰに接続している間に、第２ネットワークドメインに属する境界ＡＰ（ＡＰ１０ｃ）のＡＰ情報を取得することにより、移動端末４０は、ＩＰアドレスを再割当てする必要がある複数のネットワークドメイン間を移動する場合にも、ハンドオフに必要な時間を短縮することができる。
【００７３】
また、境界ＡＰ（ＡＰ１０ｃ）のＡＰ情報が、第２ネットワークドメインのネットワークプレフィクスを含むことにより、ＩＰｖ６に対応するシステムにおいて、移動端末４０がＩＰアドレスを自動生成する場合に、移動端末４０は、第２ネットワークドメインのネットワークプレフィクスを改めて取得しなくても、移動端末４０のＩＰアドレスを自身で生成することができる。
【００７４】
さらに、境界ＡＰ（ＡＰ１０ｃ）のＡＰ情報が、周波数チャネル、ＥＳＳＩＤ及びＷＥＰキーを含むことにより、移動端末４０は、周波数チャネル、ＥＳＳＩＤ及びＷＥＰキーが接続ＡＰとハンドオフ先ＡＰとの間で異なる場合に、ハンドオフに必要な時間を短縮することができる。
【００７５】
（変更例）
以下において、上述した実施形態の変更例について、図面を参照しながら説明する。なお、以下においては、上述した実施形態との相違点を主として説明する。
【００７６】
具体的には、上述した実施形態において、移動端末４０は、無線ＬＡＮ内のエリア間を移動するが、本変更例において、移動端末は、携帯電話網内のエリア（以下、携帯電話網エリア）から無線ＬＡＮ内のエリア（無線ＬＡＮエリア）に移動する。また、本変更例において、移動端末は、無線ＬＡＮに接続する機能を有する携帯電話であり、ＡＰ情報サーバは、各ＡＰのＡＰ情報と各ＡＰの位置情報とを関連付けて管理する。
【００７７】
図７に示すように、携帯電話５０は、基地局６０によって管理される携帯電話網エリアＡ内から、ＡＰ１０ｃによって管理される無線ＬＡＮエリアｃ内に移動する。
【００７８】
ここで、携帯電話５０は、携帯電話網エリアＡ内では、基地局６０と接続することによって携帯電話網を介した通信を行い、無線ＬＡＮエリアｃ内では、ＡＰ１０ｃと接続することによって無線ＬＡＮを介した通信を行う。
【００７９】
基地局６０は、携帯電話網エリアＡ内で携帯電話５０が位置登録をすると、基地局６０に隣接するＡＰ１０ｃのＡＰ情報（すなわち、携帯電話網エリアＡに隣接する無線ＬＡＮエリアを管理する隣接ＡＰのＡＰ情報）を携帯電話５０に通知する。
【００８０】
例えば、基地局６０は、基地局６０の位置情報をＡＰ情報サーバ２０ｂに通知し、基地局６０の位置情報に基づいてＡＰ情報サーバ２０ｂが特定する隣接ＡＰのＡＰ情報を取得し、取得した隣接ＡＰのＡＰ情報を携帯電話５０に通知する。また、基地局６０は、携帯電話５０がＧＰＳ機能を有する場合には、携帯電話５０の位置情報を携帯電話５０から取得し、取得した携帯電話５０の位置情報をＡＰ情報サーバ２０ｂに通知することによって、隣接ＡＰのＡＰ情報を取得してもよい。
【００８１】
このように、携帯電話５０は、基地局６０に接続している間に（すなわち、無線ＬＡＮのエリア外で）、基地局６０に隣接する隣接ＡＰのＡＰ情報を取得することにより、携帯電話網エリアＡから無線ＬＡＮエリアｃに移動する場合にも、基地局６０とＡＰ１０ｃとの間のハンドオフで必要とされるハンドオフ時間（すなわち、携帯電話網と無線ＬＡＮとの間のハンドオフで必要とされるハンドオフ時間）の短縮を図ることができる。
【００８２】
なお、変更例１では、携帯電話網エリアＡと無線ＬＡＮエリアｃとは、互いに隣接しているが、これに限定されるものではなく、互いに重複していてもよい。
【００８３】
（その他の変更例）
上述した実施形態では、移動端末４０は、無線ＬＡＮを介して隣接ＡＰのＡＰ情報を取得するが、これに限定されるものではなく、無線ＬＡＮとは異なるルート（例えば、携帯電話網やＰＨＳ網）を介して隣接ＡＰのＡＰ情報を取得してもよい。
【００８４】
上述した実施形態では、移動端末４０は、接続ＡＰに接続した際に、隣接ＡＰのＡＰ情報を取得するが、これに限定されるものではなく、接続ＡＰに接続した際に、ＡＰ情報サーバのＡＰ情報ＤＢ２２に記憶される全てのＡＰ情報を取得してもよい。
【００８５】
すなわち、上述した実施形態では、移動端末４０は、第１ネットワークドメインに属する境界ＡＰに接続した際に、第２ネットワークドメインに属する境界ＡＰのＡＰ情報を取得するが、これに限定されるものではなく、第１ネットワークドメインに属するＡＰのいずれかに接続した際に、第２ネットワークドメインに属する境界ＡＰのＡＰ情報を取得してもよい。
【００８６】
また、移動端末４０は、接続ＡＰの境界ＡＰフラグに基づいて、接続ＡＰが境界ＡＰであるか否かを判定し、接続ＡＰが境界ＡＰであると判定した場合に、第２ネットワークドメインに属する境界ＡＰのＡＰ情報を取得してもよい。
【図面の簡単な説明】
【００８７】
【図１】本発明の一実施形態に係る無線ＬＡＮシステムの構成を示す図である。
【図２】本発明の一実施形態に係るＡＰ情報サーバの構成を示すブロック図である。
【図３】本発明の一実施形態に係るＡＰ情報ＤＢ２２に記憶されたＡＰ情報を示す図である。
【図４】本発明の一実施形態に係る移動端末４０の構成を示すブロック図である。
【図５】本発明の一実施形態に係るＡＰ情報記憶部４２に記憶されたＡＰ情報を示す図である。
【図６】本発明の一実施形態に係る無線ＬＡＮシステムの動作を示すシーケンス図である。
【図７】本発明の一変更例に係る無線ＬＡＮシステムの構成を示す概略図である。
【符号の説明】
【００８８】
１０ａ〜１０ｄ・・・ＡＰ、２０ａ〜２０ｂ・・・ＡＰ情報サーバ、２１・・・受信部、２２・・・ＡＰ情報ＤＢ、２３・・・隣接ＡＰ特定部、２４・・・送信部、３０・・・通信回線網、４０・・・移動端末、４１・・・受信部、４２・・・ＡＰ情報記憶部、４３・・・受信品質測定部、４４・・・接続処理部、４５・・・送信部、５０・・・携帯電話
【図１】
2006262371.tif 000003
【図２】
2006262371.tif 000004
【図３】
2006262371.tif 000005
【図４】
2006262371.tif 000006
【図５】
2006262371.tif 000007
【図６】
2006262371.tif 000008
【図７】
2006262371.tif 000009